(57)【特許請求の範囲】
【請求項１】
筐体における固定枠体の開口前面を開閉する扉を操作するためのハンドル装置であって；固定枠体に固着される受金体と；扉の前面板に固着される外フランジ部と前面板を前後方向に貫通する軸受け筒部とを有するベース体と；後端部が前記ベース体に対して前後方向に移動可能に支持され、前面側に円弧凹面と、この円弧凹面に開口して前後方向に貫通する開口部を有するスカート体と；基端部と、この基端部から延出する握り部とを具備し、扉の前面に平行な第１の枢軸によって基端部を前記スカート体に枢着され、それによって第１の枢軸周りに握り部を扉の前面とほぼ平行なロック位置と扉の前面から起立した非ロック位置の間で起伏回転操作可能で、基端部の背面側に、起伏回転時にスカート体の円弧凹面に摺接する円弧凸面と、頂部が円弧凸面より後方へ突出するカム突起とを有する操作ハンドルと；前記スカート体と前記ベース体との間に位置してベース体に固定され、前後方向に貫通してベース体の軸受け筒部に連通する開口部と、前記操作ハンドルのカム突起に摺接するカム面を前面側に有するカム体と；前記スカート体及び前記カム体の開口部と前記ベース体の軸受け筒部を前後方向に貫通し後方位置と前方位置との間で移動可能で、前端部が前記第１の枢軸によって前記操作ハンドルおよびスカート体に連結されるロック軸と；前記ベース体と前記ロック軸との間に介設され、ロック軸を後方位置に付勢して前記操作ハンドルの基端部を前記スカート体に引き付けるばね部材と；扉の前面に平行な第２の枢軸によって基端部が前記ベース体の軸受け筒部に枢着され、扉の前面に平行な第３の枢軸によって中間部が前記ロック軸の後端部に緩く枢支され、それによって、ロック軸が前方位置にあるときロック軸に対して直角に起立して前記受金体の背面側に係合するロック位置と、ロック軸が後方位置にあるとき転倒して受金体から離脱する非ロック位置との間を起立転倒自在の止め金体とを具備し；前記操作ハンドルのカム突起は、前記円弧凸面より後方へ突出する前記頂部と、この頂部に連続して前方へ延びる傾斜平面をとを具備し；前記カム体のカム面は、前方へ突出する頂部と、この頂部に連続して後方へ延びる傾斜平面をとを具備し；前記操作ハンドルがロック位置にあるとき、前記カム突起の頂部が前記カム体の頂部に乗り上げて、前記ばね部材を蓄勢しつつ、操作ハンドル、スカート体及び前記ロック軸を一体に前方位置に配置することにより、前記止め金体をロック位置に起立させ、操作ハンドルが非ロック位置にあるとき、カム突起の傾斜平面とカム体の傾斜平面とが対面して操作ハンドル、スカート体及び前記ロック軸を一体に前方位置に配置することにより、止め金体を非ロック位置に転倒させるリフトハンドル装置であって、前記ベース体の軸受け筒部は、後端から前方へ切り込まれた切欠部を有し、この切欠部内に前記止め金体が起立転倒自在に保持されることを特徴とする筐体用扉のリフトハンドル装置。
【発明の詳細な説明】
【技術分野】
【０００１】
この発明は、冷蔵庫等の筐体用扉のリフトハンドル装置に関する。
【背景技術】
【０００２】
スチームオーブンなどの調理機器に使用される扉用ロックハンドル装置として、特許文献1に記載された二段階開放型密閉リフトハンドル装置が知られている。このリフトハンドル装置は、固定枠体に固着される受金体ユニットと；扉に固着されるベース体と；ベース体に対して回転可能および前後方向に移動可能に支持されたスカート体と；扉前面に平行な枢軸によって基端部をスカート体に枢着され、背面側にカム突起を設けた操作ハンドルと；スカート体およびベース体に前後方向に嵌挿され、前端部を枢軸によって操作ハンドルおよびスカート体に連結されたロック軸と；ベース体とロック軸の間に装備され、ロック軸を後方向に移動付勢して操作ハンドルの基端部をスカート体に引き付けるバネ部材と；ベース体の軸受筒部より突出したロック軸の後端部に取り付けられ、受金体ユニットの受金体体の背面側に係合する止め金体と；ロック軸に設けられ、軸受筒部の周囲壁に形成した係止溝に係脱するストッパーと；ベース体の前面部に設けられ、前方向に突出した第１段面と後方向に後退した第２段面の間を誘導斜面で連絡したカム体とからなる。枢軸を中心に操作ハンドルを扉前面に対して直角な面内においてリフトさせたとき、操作ハンドルのカム突起が第１段面から第２段面へとカム体との当接点を転移させることによって、ロック軸がベース体に対して後方向に移動して、止め金体が受金体体の後方向に離脱するとともに、ストッパーが係止溝から離脱してベース体に対する操作ハンドルおよびスカート体の回転拘束が解除され、リフト位置において操作ハンドルを回転させることによって、扉の開放操作に際して受金体体に干渉しない位置に止め金体が退避回転するものである。
【先行技術文献】
【特許文献】
【０００３】
【特許文献１】特開２００６−１１８１１５号公報
【発明の概要】
【発明が解決しようとする課題】
【０００４】
上記従来のハンドル装置においては、扉を開放するに際し、ハンドルをリフトアップした後、非ロック位置へ回転させることによりロックを解除する操作を行い、また扉を閉鎖するに際しては、非ロック位置にあるハンドルを掴んで扉を閉鎖位置へ押し込んだ後、ロック位置へ回転させる必要がある。
扉の開放操作を明確に二段階に分けて行なう必要がない場合、操作が煩わしい嫌いがある。
したがって、この出願に係る発明は、扉の開閉操作が単純なリフトアップ型のハンドル装置を提供することを目的としている。
【課題を解決するための手段】
【０００５】
以下、添付図面の符号を参照して説明するが、本発明はこれに限定されるものではない。
上記課題を解決するための、この出願に係る発明のリフトハンドル装置１は、筐体における固定枠体Fの開口前面F１を開閉する扉Dを操作するためのハンドル装置であって；固定枠体Fに固着される受金体２と；扉の前面板D１に固着される外フランジ部１２と、扉の前面板D１を前後方向に貫通する軸受け筒部１３とを有するベース体３と；ベース体３に対して前後方向に移動可能に支持され、前面側に円弧凹面２７と、この円弧凹面２７に開口して前後方向に貫通する開口部２５を有するスカート体４と；基端部２８と、この基端部２８から延出する握り部２９とを具備し、扉の前面に平行な第１の枢軸５によって基端部２８をスカート体４に枢着され、それによって第１の枢軸５周りに握り部２９を、扉の前面とほぼ平行なロック位置と扉の前面から起立した非ロック位置の間で起伏回転操作可能で、基端部２８の背面側に、起伏回転時にスカート体４の円弧凹面２７に摺接する円弧凸面３０と、頂部３２が円弧凸面３０より後方へ突出するカム突起３１とを有する操作ハンドル６と；スカート体４とベース体３との間に位置してベース体３に固定され、前後方向に貫通してベース体３の軸受け筒部１３に連通する開口部３７と、操作ハンドル６のカム突起３１に摺接するカム面３８を前面側に有するカム体７と；スカート体４及びカム体７の開口部２５，３７とベース体３の軸受け筒部１３を前後方向に貫通し、後方位置と前方位置との間で移動可能で、前端部が第１の枢軸５によって操作ハンドル６およびスカート体４に連結されるロック軸８と；ベース体３とロック軸８との間に介設され、ロック軸８を後方位置に付勢して操作ハンドル６の基端部２８をスカート体４に引き付けるばね部材４５と；扉Dの前面に平行な第２の枢軸９によって基端部４６がベース体３の軸受け筒部１３に枢着され、扉Dの前面に平行な第３の枢軸１０によって中間部がロック軸８の後端部に緩く枢支され、それによって、ロック軸８が前方位置にあるときロック軸８に対して直角に起立して受金体２の背面側に係合するロック位置と、ロック軸８が後方位置にあるとき転倒して受金体２から離脱する非ロック位置との間を起立転倒自在の止め金体１１とを具備し；操作ハンドル６のカム突起３１は、円弧凸面３０より後方へ突出する頂部３２と、この頂部３２に連続して前方へ延びる傾斜平面３３をとを具備し；カム体７のカム面３８は、前方へ突出する頂部３９と、この頂部３９に連続して後方へ延びる傾斜平面４０をとを具備し；操作ハンドル６がロック位置にあるとき、カム突起３１の頂部３２がカム体７の頂部３９に乗り上げて、ばね部材４５を蓄勢しつつ、操作ハンドル６、スカート体４及びロック軸８を一体に前方位置に配置することにより、止め金体１１をロック位置に起立させ、操作ハンドル６が非ロック位置にあるとき、カム突起３１の傾斜平面３３とカム体７の傾斜平面４０とが対面して操作ハンドル６、スカート体４及びロック軸８を一体に前方位置に配置することにより、止め金体１１を非ロック位置に転倒させることを特徴とする。
【発明の効果】
【０００６】
この出願に係る発明の装置によれば、ハンドルを起立位置にリフトアップしつつ手前に引くことで扉を開放し、またハンドルを後方へ押し込みつつ倒伏させることで扉を閉鎖してロックすることができる。
【図面の簡単な説明】
【０００７】
【図１】本発明の一実施形態に係るリフトハンドル装置を筐体に装着した状態の断面図であり、リフトハンドル装置はロック状態にある。
【図２】図１のリフトハンドル装置の非ロック状態の断面図である。
【図３】図１のリフトハンドル装置の分解斜視図である。
【図４】図１の密閉リフトハンドル装置における操作ハンドル部分の正面図である。
【図５】図１の密閉リフトハンドル装置における操作ハンドル部分の背面図である。
【図６】図１の密閉リフトハンドル装置における操作ハンドルの側面図である。
【図７】図６の操作ハンドルの平面図である。
【図８】図６の操作ハンドルの背面図である。
【図９】図８のIX−IX断面図である。
【図１０】図８のX−X断面図である。
【図１１】図１のリフトハンドル装置におけるスカート体の正面図である。
【図１２】図１１のスカート体の平面図である。
【図１３】図１１のXIII−XIII断面図である。
【図１４】図１の密閉リフトハンドル装置におけるベース体の正面図である。
【図１５】図１４のXV−XV断面図である。
【図１６】図１４のベース体の背面図である。
【図１７】図１のリフトハンドル装置におけるカム体の正面図である。
【図１８】図１７のXVIII−XVIII断面図である。
【図１９】図１のリフトハンドル装置におけるロック軸の側面図である。
【図２０】図１のリフトハンドル装置におけるロック軸の平面図である。
【図２１】図１のリフトハンドル装置における止め金体の正面図である。
【図２２】図２１の止め金体の側面図である。
【発明を実施するための形態】
【０００８】
図面を参照してこの発明の実施の形態を説明する。
図１ないし３に示すように、リフトハンドル装置１は、筐体における固定枠体Fの開口前面F１を開閉する扉Dを操作するためのものであって、固定枠体Fに固着される受金体２と、扉Dに固着されるベース体３と、ベース体３に支持されるスカート体４と、第１の枢軸５によってスカート体４に枢着される操作ハンドル６と、ベース体３に固定されるカム体７と、前端部が第１の枢軸５によって操作ハンドル６およびスカート体４に連結され前後方向に延びるロック軸８と、第２の枢軸９によって基端部がベース体３に枢着され、第３の枢軸１０によって中間部がロック軸８の後端部に緩く枢支される止め金体１１とを具備する。ロック軸８は、ばね４５により後方へ付勢される。各構成部品は、金属材料やエンジニアリングプラスチック等の強度の高い材料によって堅牢に製作されている
【０００９】
ベース体３は、図１４ないし１６に示すように、外フランジ部１２と、これよりも小径な軸受筒部１３とを具備し、外フランジ部１２の中央部には、軸受筒部１３に連通する軸受孔１４が前後方向に形成され、前面側の外周縁部には、前方に開放する環状溝１５が形成される。ベース体３は、軸受け筒部１３を扉の前面板D１を前後方向に貫通させるように扉Dに装着され、外フランジ部１２の背面側から嵌合された短筒状の座金体１６とねじ１７とによって扉８の前面板D1に締め付け固着される（図１，２）。軸受け筒部１３は、前端部内周のばね受けフランジ１８と、後端からから前方へ切り込まれた切欠部１９と、この切欠部１９と直径方向に対向する位置において後端から前方へ延びるように内周に形成された平行２条の受け溝２０と、切欠部１９と受け溝２０に対して直交する方向に貫通するように形成されたピン孔２１とを有する。ピン孔２１は、第２の枢軸９の両端を支持する（図１，２）。
【００１０】
図１１ないし１３に示すように、スカート体４は、短筒状部２２と、前端壁部２３と、平行一対の軸受けアーム２４とを有する。短筒状部２２の後端部は、ベース体３の環状溝１５に前後方向に相対移動可能に嵌め込まれる（図１，２）。前端壁部２３は、中央にほぼ矩形の開口部２５を有し、この開口部２５の左右両縁から前方に軸受けアーム２４が延出する。軸受けアーム２４は、前端部に軸受け孔２６を有する。軸受け孔２６には、第１の枢軸５の両端が支持される。前端壁部２３の前面は軸受け孔２６を中心とする円弧凹面２７となっている。
【００１１】
図１，２に示すように、操作ハンドル６は、基端部２８と、この基端部２８から延出する握り部２９とを具備する。基端部２８は、扉の前面D１に平行な第１の枢軸５によってスカート体の軸受けアーム２４に枢着され、それによって操作ハンドル６は、ロック位置と非ロック位置の間で、扉の前面F１に対して垂直平面上を枢軸５周りに起伏回転操作可能である。握り部２９は、図１に示すロック位置において扉の前面F１とほぼ平行に配置され、図２に示す非ロック位置において扉の前面から傾斜して起立する。基端部２８の背面側には、起伏回転時にスカート体４の円弧凹面２７に摺接する円弧凸面３０と、カム突起３１とを有する。カム突起３１の頂部３２は、円弧凸面３０より後方へ突出する。円弧凸面３０は、枢軸５を中心とする円弧面である。
【００１２】
すなわち、図６ないし１０に示すように、基端部２８の背面側には、左右一対のカム突起３１が形成される。カム突起は、円弧凸面３０より後方へ突出する頂部３２と、この頂部３２に連続して前方へ斜めに上昇する傾斜平面３３をとを具備する。各カム突起３１の根元部の外側には、スカート体４の軸受アーム２４を受け入れるアーム受スリット３４が、後方に開口するように形成されている。両カム突起３１間には、ロック軸８の前端部を受け入れる軸受凹部３５が形成される。軸受凹部３５は、ハンドルのリフト回転を可能にするために、ロック軸８の前端部の相対回動を許容すべく、後方へ上向きに拡大している。枢軸５が挿入される枢軸孔３６は、アーム受スリット３４の最深部に形成されている。
【００１３】
図１ないし３及び図１７，１８において、カム体７は、スカート体４とベース体３との間に位置してベース体３に固定される。カム体７は、概略リング状で、前後方向に貫通する開口部３７を有し、ベース体３の軸受け筒部１３に連通する。カム体７は、操作ハンドルのカム突起３１に摺接するカム面３８を前面側に有する。カム面３８は、前方へ突出する頂部３９と、この頂部に連続して後方斜め下へ延びる傾斜平面４０とを具備する。
【００１４】
図１，２において、ロック軸８は、スカート体４の開口部２５、カム体７の開口部３７、ベース体３の軸受け筒部１３を前後方向に貫通し、後方位置と前方位置との間で移動可能である。ロック軸８の前端部は、操作ハンドル６の軸受け凹部３５に受け入れられ、第１の枢軸９によって、スカート体４の軸受けアーム２４と共に、操作ハンドル６に枢支される。図１９，２０に示すように、ロック軸８は、先端部に枢軸９を受ける軸孔４１を有し、軸受け筒部１３内に位置する後部にばね受けフランジ４２を有する。フランジ４２より後方は、止め金体１１との連結部４３であり、第３の枢軸１０を受ける軸孔４４を有する。ベース体３の内フランジ１８とロック軸８のばね受けフランジ４２との間に、ばね４５がされ、これにより、ロック軸８は後方位置に付勢され、さらに操作ハンドル６の基端部２８がスカート体４に引き付けられる。
【００１５】
図２１，２２に示すように、止め金体１１は、二股に分かれた基端部４６と先端側の係合部４７とを具備する。基端部には、円形の軸受け孔４８と長円形の軸受け孔４９が形成される。図１ないし３において、止め金体１１は、ベース体３の軸受け筒部１３における切欠部１９内に配置され、基端部４６が受け溝２０に受け入れられ、軸受け孔４８に挿通される第２の枢軸９によって、軸受け筒部１３に枢着される。また、止め金体１１は、軸受け孔４９に挿通される第３の枢軸１０によって、中間部がロック軸８の後端部に緩く枢支される。それによって、ロック軸８が図１に示す前方位置にあるとき、ロック軸８に対して直角に起立して受金体２の背面側に係合し、ロック軸８が図２に示す後方位置にあるとき、転倒して受金体２から離脱するように、ロック位置と非ロック位置との間を起立転倒自在である。
【００１６】
しかして、図１において、操作ハンドル６がロック位置にあるとき、カム突起３１の頂部３２がカム体７の頂部３９に乗り上げて、ばね部材４５を蓄勢しつつ、操作ハンドル６、スカート体４及びロック軸８を一体に前方位置に配置する。これにより、止め金体１１がロック位置に起立し受金体２に係合する。
【００１７】
この状態から、操作ハンドル６を図２に示すように起立させつつ、前方へ引けば、扉を開放することができる。すなわち、操作ハンドル６を起立させると、カム突起３１の頂部３２がカム体７の頂部３９から外れ、傾斜平面３３、４０が対面する。この間、操作ハンドル６、スカート体４及びロック軸８が、ベース体３に対して一体に後退し、止め金体１１が非ロック位置に転倒し、受金体２から離脱する。
【００１８】
扉Dを閉めるときは、操作ハンドル６を起立させた状態で握り、筐体側に押し込みつつ操作ハンドル６を倒伏させると、止め金体１１がロック位置に起立して受金体２に係合し、扉Dがロックされる。
【符号の説明】
【００１９】
１    リフトハンドル装置
２    受金体
３    ベース体
４    スカート体
５    第１の枢軸
６    操作ハンドル
７    カム体
８    ロック軸
９    第２の枢軸
１０  第３の枢軸
１１  止め金体
１２  外フランジ部
１３  軸受筒部
１４  軸受孔
１５  環状溝
１６  座金体
１７  ねじ
１８  ばね受けフランジ
１９  切欠部
２０  受け溝
２１  ピン孔
２２  短筒状部
２３  前端壁部
２４  軸受けアーム
２５  開口部
２６  軸受け孔
２７  円弧凹面
２８  基端部
２９  握り部
３０  円弧凸面
３１  カム突起
３２  頂部
３３  傾斜平面
３４  アーム受スリット
３５  軸受凹部
３６  枢軸孔
３７  開口部
３８  カム面
３９  頂部
４０  傾斜平面
４１  軸孔
４２  ばね受けフランジ
４３  連結部
４４  軸孔
４５  ばね
４６  基端部
４７  係合部
４８  軸受け孔
４９  軸受け孔
D    扉
D１  扉の前面板
F    固定枠体
F１  扉の前面
【図１】
0005596005.tif 000002
【図２】
0005596005.tif 000003
【図３】
0005596005.tif 000004
【図４】
0005596005.tif 000005
【図５】
0005596005.tif 000006
【図６】
0005596005.tif 000007
【図７】
0005596005.tif 000008
【図８】
0005596005.tif 000009
【図９】
0005596005.tif 000010
【図１０】
0005596005.tif 000011
【図１１】
0005596005.tif 000012
【図１２】
0005596005.tif 000013
【図１３】
0005596005.tif 000014
【図１４】
0005596005.tif 000015
【図１５】
0005596005.tif 000016
【図１６】
0005596005.tif 000017
【図１７】
0005596005.tif 000018
【図１８】
0005596005.tif 000019
【図１９】
0005596005.tif 000020
【図２０】
0005596005.tif 000021
【図２１】
0005596005.tif 000022
【図２２】
0005596005.tif 000023